(57)【要約】【課題】小型のスピニングリールでありながら、糸巻胴部に巻装可能な糸巻量を増加させる。【解決手段】スプール５を、糸巻胴部９ａおよびスカート部９ｂを有するスプール本体９と、スプール本体９の前部に螺合される前フランジ固定用部材１１とスプール本体９との間に挟持される前フランジ部材１０と、スカート部９ｂの前端部外周に螺合される後フランジ外径側部材１２とを備えて構成し、前フランジ部材１０および後フランジ外径側部材１２を大径なものにすることで、糸巻胴部９ａに巻装可能な糸巻量を増加させることができる構成にした。【選択図】図２
0003176699.tif 000002
【実用新案登録請求の範囲】
【請求項１】
スピニングリールのスプールであって、該スプールは、
外周に釣り糸が巻装される筒状の糸巻胴部、および該糸巻胴部の後端側に一体形成される糸巻胴部よりも大径筒状のスカート部を有するスプール本体と、
該スプール本体の前部に螺合される前フランジ固定用部材と、
該前フランジ固定用部材とスプール本体の前部との間に挟持され、糸巻胴部よりも外径側に突出する前フランジ部材と、
糸巻胴部とスカート部とのあいだの段差面により形成される後フランジ内径側部と、
スカート部の前端部外周に螺合され、スカート部よりも外径側に突出する後フランジ外径側部材とを備えて構成されることを特徴とするスピニングリールのスプール。
【請求項２】
請求項１において、スピニングリールは、スプールの釣り糸繰りだし方向への回転に制動を与えるドラグ機構を備えると共に、後フランジ外径側部材は、その緊締方向が、スプールの釣り糸繰りだし方向への回転と逆方向となるようにスカート部の前端部外周に螺合されることを特徴とするスピニングリールのスプール。
【請求項３】
請求項１または２において、前フランジ部材および後フランジ外径側部材を異径のものに交換することで、糸巻胴部に巻装可能な糸巻量を増減調整できることを特徴とするスピニングリールのスプール。
【請求項４】
請求項１乃至３の何れか一項において、スプール本体の前部および前フランジ固定用部材には、互いに対向する鍔部が形成されると共に、これらスプール本体の鍔部と前フランジ固定用部材の鍔部との間で前フランジ部材を挟持する構成であることを特徴とするスピニングリールのスプール。
【考案の詳細な説明】
【技術分野】
【０００１】
本考案は、魚釣りに用いられるスピニングリールのスプールの技術分野に関するものである。
【背景技術】
【０００２】
一般に、魚釣りに用いられるリールのなかには、釣り糸（道糸、ライン、テグス）が巻装されるスプール自体が回転するのではなく、ロータの回転に伴うベールのガイドで、釣り糸を、前後移動しているスプールに巻き取るように構成したスピニングリールがある。このようなスピニングリールにおいて、前記スプールは、一般的に、外周に釣り糸が巻装される筒状の糸巻胴部と、該糸巻胴部の後部に一体形成されるスカート部を備えていると共に、該スカート部は、糸巻胴部よりも大径筒状をしていてロータに遊嵌状に外嵌されている。さらに、糸巻胴部の前部には、該糸巻胴部よりも外径側に突出する前フランジ部が設けられる一方、糸巻胴部の後部には、該糸巻胴部とスカート部との段差面により後フランジ部が形成されており、これら前フランジ部および後フランジ部の糸巻胴部からの突出量によって、糸巻胴部に巻装可能な糸巻量が制限されるようになっている。また、このようなスピニングリールのスプールにおいて、糸巻胴部の前部に設けられる前フランジ部を、糸巻胴部とは別部材で構成した技術も知られている（例えば、特許文献１、２参照。）。
ところで、近年、マグロ等の大型の魚をルアー釣りで狙うのがブームであると共に、釣り道具の進歩により１００Ｋｇを越えるような大型魚でもスピニングリールで釣り上げることができるようになっている。この場合、スピニングリールが重いと疲労が大きくなるため、より小さく軽いスピニングリールを使いたいという要望が高くなっている。
【先行技術文献】
【特許文献】
【０００３】
【特許文献１】特開２００２−２６２７３０号公報
【特許文献２】特開２００３−２５９７７１号公報
【考案の概要】
【考案が解決しようとする課題】
【０００４】
しかしながら、小型のスピニングリールを使用して大型魚を釣ろうとすると、糸巻量が不足してしまうという問題がある。そこで、スプールの糸巻胴部の前後に設けられる前フランジ部および後フランジ部の糸巻胴部からの突出量を大きくすることで、糸巻胴部に巻装可能な糸巻量を増加させることが提案される。この場合、前記特許文献１、２のもののように、前フランジ部が糸巻胴部とは別部材で構成されているものにおいては、前フランジ部を大径にすることで、前フランジ部の糸巻胴部からの突出量を大きくすることが考えられる。しかしながら、後フランジ部は、糸巻胴部とスカート部との段差面により形成されているため、後フランジ部の径寸法を大きくしようとすると、スカート部全体が大型化して重量が重くなってしまうという問題が生じる。そこで、軽量化のために、後フランジ部を形成する部分よりも後方側のスカート部の外周面部を削ることが考えられるが、この様な切削加工は、時間がかかるうえ材料も無駄になってコストが高くなるという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、スピニングリールのスプールであって、該スプールは、外周に釣り糸が巻装される筒状の糸巻胴部、および該糸巻胴部の後端側に一体形成される糸巻胴部よりも大径筒状のスカート部を有するスプール本体と、該スプール本体の前部に螺合される前フランジ固定用部材と、該前フランジ固定用部材とスプール本体の前部との間に挟持され、糸巻胴部よりも外径側に突出する前フランジ部材と、糸巻胴部とスカート部とのあいだの段差面により形成される後フランジ内径側部と、スカート部の前端部外周に螺合され、スカート部よりも外径側に突出する後フランジ外径側部材とを備えて構成されることを特徴とするスピニングリールのスプールである。
請求項２の考案は、請求項１において、スピニングリールは、スプールの釣り糸繰りだし方向への回転に制動を与えるドラグ機構を備えると共に、後フランジ外径側部材は、その緊締方向が、スプールの釣り糸繰りだし方向への回転と逆方向となるようにスカート部の前端部外周に螺合されることを特徴とするスピニングリールのスプールである。
請求項３の考案は、請求項１または２において、前フランジ部材および後フランジ外径側部材を異径のものに交換することで、糸巻胴部に巻装可能な糸巻量を増減調整できることを特徴とするスピニングリールのスプールである。
請求項４の考案は、請求項１乃至３の何れか一項において、スプール本体の前部および前フランジ固定用部材には、互いに対向する鍔部が形成されると共に、これらスプール本体の鍔部と前フランジ固定用部材の鍔部との間で前フランジ部材を挟持する構成であることを特徴とするスピニングリールのスプールである。
【考案の効果】
【０００６】
請求項１の考案とすることにより、スプール本体が小型であっても、前フランジ部材および後フランジ外径側部材を大径にすることで、大型魚にも対応できる充分な糸巻量を確保することができる。
請求項２の考案とすることにより、ドラグ機構の作動時において後フランジ外径側部材が弛んでしまうことを確実に防止することができる。
請求項３の考案とすることにより、釣りたい魚の大きさに対応する所望の糸巻量となるように変更することができる。
請求項４の考案とすることにより、前フランジ部材を、位置決めされた状態で確実にスプール本体に固定することができる。
【図面の簡単な説明】
【０００７】
【図１】スピニングリールの全体図である。
【図２】スプール部分の断面図である。
【考案を実施するための形態】
【０００８】
以下、本考案の実施の形態について、図面に基づいて説明する。図面において、１はスピニングリールであって、該スピニングリール１は、リールボディ２、該リールボディ２に回転自在に支持されるハンドル３、該ハンドル３の回転操作に基づいて回転するロータ４、ハンドル３の回転操作に基づいて前後方向に移動する後述のスプール５、該スプール５への釣り糸の巻取りをガイドするベール６等の各種部材装置を備えており、さらに、ロータ４を回転せしめるロータ駆動機構（図示せず）、スプール５を前後移動せしめるオシレーティング機構（図示せず）、スプール５の釣り糸繰出方向への回転に制動を与えるドラグ機構７等を備えていることは何れも従来通りであり、その詳細な説明については省略する。
【０００９】
前記スプール５は、スプール軸８に軸回り方向の回転および軸方向の移動が規制された状態で装着されていて、ハンドル３の回転操作に基づくスプール軸８の前後移動に伴いスプール５も前後移動する構成になっているが、該スプール５は、スプール本体９、前フランジ部材１０、前フランジ固定用部材１１、後フランジ外径側部材１２等の部材を備えて構成されている。
【００１０】
前記スプール本体９は、外周に釣り糸が巻装される筒状の糸巻胴部９ａと、該糸巻胴部９ａの後端側に一体形成される糸巻胴部９ａよりも大径筒状のスカート部９ｂとを有した二段筒形状のものであって、スカート部９ｂは、前記ロータ４に遊嵌状に外嵌されている。
【００１１】
前記スプール本体９の前部には、糸巻胴部９ａの前端部から外径方向に突出する鍔部９ｃが形成されていると共に、スプール本体９の筒内周部前側には、雌螺子部９ｄが形成されている。さらに、スプール本体９の前端部には、外径が糸巻胴部９ａの外径と略同寸法の環状のボス筒部９ｅが、鍔部９ｃよりも前方に突出する状態で形成されている。
【００１２】
一方、前フランジ部材１０は、外径寸法が前記スプール本体９の鍔部９ｃよりも大径の円板形状のものであって、該前フランジ部材１０の中心部には、前記スプール本体９のボス筒部９ｅに外嵌される貫通孔１０ａが開設されている。
【００１３】
また、前フランジ固定用部材１１は、前フランジ部材１０をスプール本体９に固定するための部材であって、前端部に外径側に突出する鍔部１１ａが形成された筒状のものであり、その筒外周部後側には、前記スプール本体９の筒内周部前側の雌螺子部９ｄに螺合する雄螺子部１１ｂが形成されている。そして、スプール本体９のボス筒部９ｅに前フランジ部材１０の貫通孔１０ａを外嵌せしめた状態で、スプール本体９の雌螺子溝９ｄに前フランジ固定用部材１１の雄螺子溝１１ｂを螺合せしめることで、前フランジ固定用部材１１はスプール本体９に取付けられるようになっているが、このとき、スプール本体９の鍔部９ｃと前フランジ固定部材１１の鍔部１１ａとは互いに対向して前フランジ部材１０を挟持し、これによって前フランジ部材１０がスプール本体９に固定されるようになっている。そして、該前フランジ部材１０の糸巻胴部９ａからの突出量は、前フランジ部材１０を外径寸法の異なる異径のものに交換することによって、増減調整することができるようになっている。
【００１４】
ここで、前記スプール本体９の鍔部９ｃの後面は、鍔部９ｃの先端と前フランジ部材１０とのあいだに段差が生じないように、先端側ほど前フランジ部材１０に近接する傾斜面に形成されている。また、スプール本体９の鍔部９ｃの外径寸法は、後述する後フランジ外径側部材１２の着脱の妨げにならないように、後フランジ外径側部材１２の内径寸法よりも小径に設定されている。
【００１５】
一方、スプール本体９のスカート部９ｂは、前述したように糸巻胴部９ａよりも大径筒状に形成されており、これら糸巻胴部９ａとスカート部９ｂとの段差面によって、糸巻胴部９ａの後端部に後フランジ内径側部９ｆが形成されている。さらに、スカート部９ｂの前端部外周には、その後方側のスカート部９ｂよりも段差状に小径になった雄螺子部９ｇが形成されている。
【００１６】
また、後フランジ外径側部材１２は、外径寸法が前記スカート部９ｂよりも大径のドーナツ形状のものであって、その内周部には前記スカート部９ｂの雄螺子部９ｇに螺合する雌螺子部１２ａが形成されている。そして、スカート部９ｂの雄螺子部９ｇに後フランジ外径側部材１２の雌螺子部１２ａを螺合せしめることで、後フランジ外径側部材１２はスカート部９ｂに取付けられるが、該後フランジ外径側部材１２をスカート部９ｂに取付けた状態で、後フランジ外径側部材１２はスカート部９ｂよりも外径側に突出すると共に、後フランジ外径側部材１２の前面は、前記糸巻胴部９ａとスカート部９ｂとの段差面により形成される後フランジ内径側部９ｆと面一状になって、スプール５の後フランジ部を形成するようになっている。そして、該後フランジ内径側部９ｆと後フランジ外径側部材１２とにより形成される後フランジ部の糸巻胴部９ａからの突出量は、後フランジ外径側部材１２を外径寸法の異なる異径のものに交換することによって、増減調整することができるようになっている。
【００１７】
ここで、前記後フランジ外径側部材１２は、その緊締方向が、スプール５の釣り糸繰りだし方向への回転と逆方向となるようにスカート部４ｂの前端部外周に螺合されている。これにより、ドラグ機構７の作動時において、魚の引きが強く、スプール５が制動された状態で釣り糸繰りだし方向に回転することで釣り糸が繰出されているときに、該スプール５の回転に伴い後フランジ外径側部材１２が弛んでしまうことを、確実に防止できるようになっている。
【００１８】
一方、１３はスプール５をスプール軸８に着脱自在に装着するための着脱装置であって、該着脱装置１３は、スプール軸８の外周に形成された環状溝８ａに係止する係止部１４ａを有した係止部材１４、該係止部材１４の係止部１４ａを拡張させるための押ボタン１５等の部材を備えて構成されている。そして、押ボタン１５の押操作で係止部材１４の係止部１４ａを拡張させて該係止部１４ａを係止溝８ａから外すことによって、スプール５をスプール軸８から取外すことができるようになっている。
【００１９】
叙述の如く構成された本実施の形態において、スピニングリールのスプール１は、外周に釣り糸が巻装される筒状の糸巻胴部９ａ、および該糸巻胴部９ａの後端側に一体形成される糸巻胴部９ａよりも大径筒状のスカート部９ｂを有するスプール本体９と、該スプール本体９の前部に螺合される前フランジ固定用部材１１と、該前フランジ固定用部材１１とスプール本体９の前部との間に挟持され、糸巻胴部９ａよりも外径側に突出する前フランジ部材１０と、糸巻胴部９ａとスカート部９ｂとのあいだの段差面により形成される後フランジ内径側部９ｆと、スカート部９ｂの前端部外周に螺合され、スカート部９ｂよりも外径側に突出する後フランジ外径側部材１２とを備えて構成されている。
【００２０】
この様に、本実施の形態にあっては、糸巻胴部９ａに巻装可能な糸巻量に関わる前フランジ部材１０および後フランジ外径側部材１２が、糸巻胴部９ａおよびスカート部９ｂを有するスプール本体９とは別部材で構成されており、而して、軽量化を図るべくスプール本体９を小型にしても、前フランジ部材１０および後フランジ外径側部材１２を大径にすることで、大型魚にも対応できる充分な糸巻量を確保できることになる。しかも、後フランジ部の全てがスカート部と一体化されているもののように後フランジ部をスカート部よりも突出させるためにスカート部の外周を切削したりする必要がなく、よって、切削加工の時間を省くことができると共に、材料の無駄もなくすことができる。
【００２１】
また、前記後フランジ外径側部材１２は、その緊締方向が、スプール５の釣り糸繰りだし方向への回転と逆方向となるようにスカート部４ｂの前端部外周に螺合されている。これにより、ドラグ機構７の作動時において、魚の引きが強く、スプール５が制動された状態で釣り糸繰りだし方向に回転することで釣り糸が繰出されているときに、該スプール５の回転に伴い後フランジ外径側部材１２が弛んでしまうことを、確実に防止できることになる。
【００２２】
さらに、このものは、前フランジ部材１０および後フランジ外径側部材１２を、外径寸法の異なる異径のものに交換することで、糸巻胴部９ａに巻装可能な糸巻量を増減調整することができ、而して、糸巻胴部９ａに巻装可能な糸巻量を、釣りたい魚の大きさに対応する所望の糸巻量となるように変更することができる。
【００２３】
また、このものにおいて、スプール本体９の前部および前フランジ固定用部材１１には、互いに対向する鍔部９ｃ、１１ａが形成されると共に、これらスプール本体９の鍔部９ｃと前フランジ固定用部材１１の鍔部１１ａとの間で前フランジ部材１０を挟持する構成であるから、前フランジ部材１０を、位置決めされた状態で確実にスプール本体９に固定することができる。
【００２４】
尚、上記実施の形態では、ドラグ機構が後部に設けられたリアドラグ式のスピニングリールに本考案を実施したが、ドラグ機構が前部に設けられたフロントドラグ式のスピニングリールにも本考案を実施できることは勿論である。
【産業上の利用可能性】
【００２５】
本考案は、魚釣りに用いられるスピニングリールにおいて、スプールに巻装できる糸巻量を増加させる場合に利用することができる。
【符号の説明】
【００２６】
１    スピニングリール
５    スプール
７    ドラグ機構
９    スプール本体
９ａ  糸巻胴部 
９ｂ  スカート部
９ｃ  鍔部
９ｆ  後フランジ内径側部
１０    前フランジ部材
１１    前フランジ固定用部材
１１ａ  鍔部
１２    後フランジ外径側部材
【図１】
0003176699.tif 000003
【図２】
0003176699.tif 000004